(57)【要約】　　　（修正有）【課題】一枚のシートを積層し又は折り重ねて、重ね合わされて互いに接触する面同士を疑似接着して隠蔽する不透明圧着はがきにおいて、透視防止効果及び情報媒体としての機能を高めた不透明圧着はがきを提供することを目的とする。【解決手段】表面部３と裏面部４とを有する二層構造の基材シート２を積層し又は折り重ねて、互いに接触する面同士を剥離可能に疑似接着して隠蔽する不透明圧着はがきであって、前記基材シート２の前記表面部と裏面部との間に、外部からの透視を防止する透視防止用部５を介在させて構成した不透明圧着はがきである。【選択図】　　　　図１
0003098137.tif 000002
【実用新案登録請求の範囲】
【請求項１】
表面部と裏面部とを有する二層構造の基材シートを積層し又は折り重ねて、互いに接触する面同士を剥離可能に疑似接着して隠蔽する不透明圧着はがきであって、前記基材シートの前記表面部と裏面部との間に、外部からの透視を防止する透視防止用部を介在させたことを特徴とする不透明圧着はがき。
【請求項２】
前記透視防止用部が、前記表面部と裏面部とが対向する面の一方又は双方に、透視防止用印刷を施したものであることを特徴とする請求項１記載の不透明圧着はがき。
【請求項３】
前記基材シートは一枚の連続シートからなり、前記透視防止用部が、前記基材シートの一方の面にのみに施されていることを特徴とする請求項１又は２記載の不透明圧着はがき。
【考案の詳細な説明】
【０００１】
【考案の属する技術分野】
本考案は、個人情報等を通知するために用いられる親展用はがき等の不透明圧着はがきに関する。
【０００２】
【従来の技術】
従来、金融機関の口座番号や、公的年金等の個人情報を隠蔽して通知するための親展用はがき等の不透明圧着はがきとしては、はがきの大きさの紙片を連ねたいわゆる往復はがきの大きさの一枚のシートの一面に隠蔽情報を記載し、該隠蔽情報を記載した面上にシートを折り重ねてはがきの大きさとし、前記隠蔽情報を記載した面に折り重ねた紙片を、剥離可能に疑似接着して不透明圧着はがきとしたものや、はがきの大きさの一枚のシートを複数枚積層し、前記隠蔽情報を記載した面に接触する積層した紙片を、剥離可能に疑似接着して不透明圧着はがきとしたものが一般に使用されている。不透明圧着はがきとして、隠蔽情報を記載した面上に紙片を重ね、重なり合って接触する面同士を剥離可能に疑似接着して、情報を隠蔽した場合であっても、外部からの光線照射によって、情報の透視が可能となる場合もあり、このような透視を防止するため、隠蔽すべき情報を記載した面の裏面や前記隠蔽情報を記載した面に重ねた紙片の外部から認識できる外面に地紋、ベタ印刷等を施して、透視しにくくした不透明圧着はがきが使用されていた。また、図１２に示すように、はがきの大きさの紙片を三連に連ねた形状の一枚のシートをＺ状に三層に折り重ね、重ね合わされて互いに接触する面同士を剥離可能に疑似接着する不透明圧着はがきである往復はがきａにおいて、三層構造となった紙片の中央の層を構成する紙片ｂの一面である面部ｄに隠蔽すべき情報を記載し、前記隠蔽情報記載の面部ｄの裏面と重なり合って接触する面部ｆに地紋、ベタ印刷等を施して透視しにくくした往復はがきａが使用されていた（例えば、実用新案登録第２６０６４１９号公報参照）。
【０００３】
【考案が解決しようとする課題】
しかしながら、隠蔽する情報を記載した紙片に、折り重ね又は積層して重ね合わせる紙片に地紋若しくはベタ印刷等を施して透視にくくすると、紙片に印刷できるデザインが制約され、また、印刷できる総情報量が減少し、情報媒体としての機能性が損なわれるという問題があった。また、図１２に示したように、一枚のシートをＺ状に三層に折り重ねて、重ね合わされて互いに接触する面の一つの面部ｆにベタ印刷等を施して透視にくくすると、疑似接着を剥がした際に、面部ｆと疑似接着していた対向面にベタ印刷が転写してしまい、面部ｆの対向面に印刷されていた情報が読みにくくなるという問題があった。
そこで、本考案は、一枚のシートを積層し又は折り重ねて、重ね合わされて互いに接触する面同士を疑似接着して隠蔽する不透明圧着はがきにおいて、不透明圧着はがきを構成する表面部と裏面部とを有する二層構造の基材シートに透視防止用部を内在させて、情報媒体としての機能を高めた不透明圧着はがきを提供することを目的とする。
【０００４】
【課題を解決するための手段】
本考案の不透明圧着はがきは、前記課題を解決するべく、請求項１記載の通り、表面部と裏面部とを有する二層構造の基材シートを積層し又は折り重ねて、互いに接触する面同士を剥離可能に疑似接着して隠蔽する不透明圧着はがきであって、前記基材シートの前記表面部と裏面部との間に、外部からの透視を防止する透視防止用部を介在させたことを特徴とする。
また、請求項２記載の不透明圧着はがきは、請求項１記載の不透明圧着はがきにおいて、前記透視防止用部が、前記表面部と裏面部とが対向する面の一方又は双方に、透視防止用印刷を施したものであることを特徴とする。
また、請求項３記載の不透明圧着はがきは、請求項１又は２記載の不透明圧着はがきにおいて、前記基材シートは一枚の連続シートからなり、前記透視防止用部が、前記基材シートの一方の面にのみに施されていることを特徴とする。
【０００５】
【考案の実施の形態】
以下、本考案の実施の形態を、図面を参照しながら説明する。
図１は、本考案の不透明圧着はがき１の実施の形態を示す斜視図である。図１に示すように、不透明圧着はがき１は、はがきの大きさの紙片を長手方向に四つ連ねた形状の一枚の連続シート２’を長手方向の中央部の中折部８から二つに折り重ね、重なり合った二層構造の一方の紙片を表面部３とし、他方の紙片を裏面部４とした、表面部３と裏面部４とを有する二層構造の基材シート２からなっている。
【０００６】
図２は、図１に示す表面部３と裏面部４とからなる二層構造の基材シート２を、更に長手方向中央から折り重ねて、はがきの大きさの四層構造とした不透明圧着はがき１の断面図を示している。また、図３は、図１に示す不透明圧着はがき１の断面図を示している。図２及び図３に示すように、不透明圧着はがき１は、基材シート２の表面部３と裏面部４とが対向している面の双方に透視防止用印刷を施した透視防止用部５を設け、該透視防止用部５を設けた表面部３と裏面部４との間に接着剤層７を設けて、表面部３と裏面部４とを剥離不能に接着している。
透視防止用部５は、透過光を遮断し、不透明度を高める印刷を施すことによってなっている。尚、この透視防止用部５を設けるために用いる印刷用のインキとしては、例えば、墨や、シルバー、ホワイト等のインキ等を使用することが好ましい。
前記二層構造となっている基材シート２を更に二つに折り重ね、表面部３の折り重なって互いに接触する面を、内面部３ａ、３ｂとし、外部に表れる裏面部４を外面部４ａ、４ｂとし、不透明圧着はがき１を構成する。この不透明圧着はがき１は、前記内面部３ａ、３ｂに隠蔽すべき情報を記載し、前記内面部３ａ、３ｂの間に疑似接着剤層６’を介在させて剥離可能に接着して、情報を隠蔽している。
疑似接着剤層６’に用いる疑似接着剤としては、通常疑似接着剤として用いるゴム系糊やニス、ワックス等を使用することができ、これらの疑似接着剤を内面部３ａ、３ｂに塗布し、剥離可能に圧着したものを使用することができる。その他、前記内面部３ａ、３ｂにフィルムを貼着し、該フィルム同士を圧着して、剥離可能に接着する感圧接着剤等を使用することが可能である。尚、基材シート２を四層構造に折り重ねて不透明圧着はがき１を構成した場合、外面部４ａ、４ｂには、宛名や広告等の情報を印刷することが可能である。
不透明圧着はがき１は、表面部３と裏面部４との間に透視防止用部５を介在させた基材シート２を用いているため、不透明圧着はがき１の外面部４ａ、４ｂからの光照射により、疑似接着された内面部３ａ、３ｂに記載された情報の透視を防止することができる。また、基材シート２の表面部３と裏面部４との間に透視防止用部５を介在させているため、隠蔽情報を記載する内面部３ａ、３ｂ及び外部から認識される外面部４ａ、４ｂの全体に情報を印刷することができ、デザインが制約されたり、総情報量を低減することなく、不透明圧着はがき１の情報媒体として機能を高めることができる。
【０００７】
図４は、前記基材シート２を展開した一枚の連続シート２’の表面を示す図であり、図５は、一枚の連続シート２’の裏面を示す図である。
図４及び図５に示すように、基材シート２は、表面にのみ、隠蔽情報及びその他の情報の印刷が施されており、裏面にのみ透視防止用部５となる透視防止用の印刷が施されている。このように、基材シート２を一枚の連続シートで構成した場合、一方の面にのみ透視防止用の印刷を施せばよく、印刷が行いやすいため、低コストで不透明圧着はがき１を形成することができる。
【０００８】
基材シート２に設ける透視防止用部５は、裏面全体に設ける必要はなく、変形例として図６に示すように、互いに対向する表面部３と裏面部４の一方の面、即ち、図６においては、表面部３の内面部３ａ、３ｂの裏面となる面部３ｃ、３ｄにのみ設けてもよい。他の変形例として図７に示すように、互いに対向する表面部３と裏面部４のどちらか一方の部分にのみ透視防止用部５を設けてもよい。図７においては、互いに対向する表面部３の右側端部に位置する面部３ｃと、中折部８の左側に隣接する裏面部４の面部４ｃに透視防止用部５を設けている。表面部３の面部３ｃは、裏面部４の左側端部に位置する面部４ｄと対向し、裏面部４の面部４ｃは、中折部８の右側に隣接する表面部３の面部３ｄと対向するため、互いに対向する表面部３と裏面部４との間には、必ず透視防止用部５が介在することになる。
尚、透視防止用部５を設ける部分は、上述の例に限られるものではなく、基材シート２の互いに対向する表面部３と裏面部４との一方又は双方に、透視防止用部となる透視防止用印刷が施されていればよい。
【０００９】
不透明圧着はがき１の実施の形態は、図１乃至図７に示す実施の形態に限定されるものではなく、例えば、図８に示すように、不透明圧着はがきの第二の実施の形態として、はがきの大きさの紙片を二枚積層して、一枚の紙片を表面部３０、他方の紙片を裏面部４０として二層構造の基材シート２０を用いてもよい。表面部３０と裏面部４０を積層した場合に、表面部３０と裏面部４０とが互いに対向する面の一方又は双方に透視防止用部５を介在させ、前記表面部３０と裏面部４０とを接着剤層７により剥離不能に接着している。
この基材シート２０を二つ積層し、積層した基材シート２０、２０の積層されて互いに接触する二面の間に疑似接着剤層６を設けて剥離可能に接着した不透明圧着はがき１０として構成するものである。
【００１０】
また、図９に示すように、不透明圧着はがきの第三の実施の形態として、はがきの大きさの紙片を長手方向に二つ連ねた形状のシートを中央部から長手方向に折り重ねた二層構造の基材シート２１を用いてもよい。二つに折り重ねた形状のシートのうち、一方の紙片を表面部３１とし、他方の紙片を裏面部４１とし、該表面部３１と裏面部４１の対向する面の少なくとも一方に透視防止用部５を介在させ、前記表面部３１と裏面部４１とを接着剤７を用いて剥離不能に接着している。この基材シート２１を二つ積層し、積層した基材シート２１、２１の積層されて互いに接触する二面の間に疑似接着剤層６を設けて剥離可能に接着した不透明圧着はがき１１として構成するものである。
【００１１】
また、図１０に示すように、不透明圧着はがきの第四の実施の形態として、前記第二の実施の形態の基材シート２０と前記第三の実施の形態の基材シート２１とを積層し、積層した基材シート２０、２１の積層されて互いに接触する二面の間に疑似接着剤層６を設けて剥離可能に接着した不透明圧着はがき１２として構成してもよい。
【００１２】
その他、図１１に示すように、不透明圧着はがきの第五の実施の形態として、はがきの大きさの紙片を六連に連ねた形状の連続シートを、中央部から長手方向に折り重ね、一方の紙片を表面部３２とし、他方の紙片を裏面部４２とした基材シート２２を用いてもよい。該表面部３２と裏面部４２との間に透視防止用部５を介在させ、前記表面部３と裏面部４とを接着剤層７により剥離不能に接着している。該基材シート２２を、Ｚ状に三層に折り重ね、三層に折り重ねた際に、重ね合わされて接触する面の間に疑似接着剤層６を設けて、重ね合わされて接触する面同士を疑似接着し、隠蔽可能な面を四面に拡大した不透明圧着はがき１３として構成してもよい。また、図示を省略したが、基材シートは、はがきの大きさの紙片を三連に重ねた形状のシートを二枚積層し、一方を表面部、他方を裏面部として、前記表面部と裏面部との間に透視防止用部を介在させ、表面部と裏面部とを剥離不能に疑似接着した基材シートを用いて、Ｚ状に三層に折り重ねて、重ね合わされて接触する面同士を疑似接着した不透明圧着はがきとして構成してもよい。
【００１３】
前述した不透明圧着はがきは、住民コード通知書、各種公共料金の督促状、年金通知書等の個人情報送付用の親展用はがきや、その他スクラッチカード等としても用いることができる。
【００１４】
【考案の効果】
本考案は、表面部と裏面部との間に透視防止用部を介在させた基材シートを、積層し又は折り重ねて、重なり合って互いに接触する面同士を剥離可能に疑似接着して不透明圧着はがきを形成したため、外部からの光線照射による透視を防止することができる。また、透視防止用部が、基材シートの表面部と裏面部との間に介在されているため、不透明圧着はがきの外部から認識できる外面に透視防止用の地紋や、ベタ印刷を施す必要がなく、デザインの制約や情報量の低減のない、情報媒体としての機能を高めた不透明圧着はがきを提供することができる。また、一枚の連続シートを折り重ねて表面部と裏面部とを有する二層構造とした基材シートを用いる場合は、連続シートの片面のみに可変情報を印字すればよいため、印刷が行いやすくなり、低コストで不透明圧着はがきを形成することができる。
【図面の簡単な説明】
【図１】本考案の不透明圧着はがきを示す斜視図である。
【図２】図１に示す不透明圧着はがきの断面図である。
【図３】図１に示す不透明圧着はがきの断面図である。
【図４】不透明圧着はがきを構成する基材シートを展開した平面図である。
【図５】図４の基材シートの裏側の面を示す平面図である。
【図６】図４の基材シートの裏側の面を示し、透視防止用部の変形例を示す平面図である。
【図７】図４の基材シートの裏側の面を示し、透視防止用部の他の変形例を示す平面図である。
【図８】本考案の不透明圧着はがきの第二の実施の形態を示す断面図である。
【図９】不透明圧着はがきの第三の実施の形態を示す断面図である。
【図１０】不透明圧着はがきの第四の実施の形態を示す断面図である。
【図１１】不透明圧着はがきの第五の実施の形態を示す断面図である。
【図１２】従来例の不透明圧着はがきである往復はがきを示す斜視図である。
【符号の説明】
１　　不透明圧着はがき
２　　基材シート
２’　連続シート
３　　表面部
３ａ　内面部
３ｂ　内面部
３ｃ　内面の反対の面部
３ｄ　内面の反対の面部
４　　裏面部
４ａ　外面部
４ｂ　外面部
４ｃ　外面の反対の面部
４ｄ　外面の反対の面部
５　　透視防止用部
６　　疑似接着剤層
６’　疑似接着剤層
７　　接着剤層
８　　中折部
１０　　不透明圧着はがき
１１　　不透明圧着はがき
１２　　不透明圧着はがき
１３　　不透明圧着はがき
２０　　基材シート
２１　　基材シート
２２　　基材シート
３０　　表面部
３１　　表面部
３２　　表面部
４０　　裏面部
４１　　裏面部
４２　　裏面部
ａ　　往復はがき
ｂ　　紙片
ｃ　　紙片
ｄ　　面部
ｆ　　面部
【図１】
0003098137.tif 000003
【図２】
0003098137.tif 000004
【図３】
0003098137.tif 000005
【図４】
0003098137.tif 000006
【図５】
0003098137.tif 000007
【図６】
0003098137.tif 000008
【図７】
0003098137.tif 000009
【図８】
0003098137.tif 000010
【図９】
0003098137.tif 000011
【図１０】
0003098137.tif 000012
【図１１】
0003098137.tif 000013
【図１２】
0003098137.tif 000014